(57)【要約】【課題】データのバックアップおよびデータの復元などの機能を具える装置と、該装置により、ホストコンピューターを復元することを含む情報復元装置および情報復元方法を提供する。【解決手段】ケースと、複数の機能キーと、回路装置によって復元装置を構成し、該回路装置はＣＰＵ、コネクタポート、メモリ、コネクタインターフェース、制御回路、データ記憶装置を含み、該回路装置は前記機能キーと電気的接続を行い、コネクタポートにより、外部ホストコンピューターに接続し、該機能キーの操作により、該制御回路の作動をコントロールし、ＣＰＵとコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元する情報復元装置および情報復元方法に供する。【選択図】  図１
2005038007.tif 000002
【特許請求の範囲】
【請求項１】
ケースと、
前記ケースの上に設ける複数の機能キーと、
前記機能キーと電気的接続を行い、ＣＰＵ、コネクタポート、メモリ、コネクタインターフェース、制御回路、データ記憶装置を含み、該ケース内に設ける回路装置と、
コネクタポートにより、外部ホストコンピューターに接続し、該機能キーの操作により、該制御回路の作動をコントロールし、ＣＰＵとコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元することと、を含むことを特徴とする情報復元装置。
【請求項２】
前記機能キーが、急速バックアップキー、完全バックアップキー、復元キーを含むことを特徴とする請求項１に記載の情報復元装置。
【請求項３】
前記ＣＰＵと接続するコネクタポートが、ＵＳＢインターフェース、１３４９シリアルインターフェース、もしくはＡＴＡ／ＡＴＡＰＩシリアルインターフェースであることを特徴とする請求項１に記載の情報復元装置。
【請求項４】
前記データ記憶装置が、ＡＴＡ／ＡＴＡＰＩシリアルインターフェースを含むことを特徴とする請求項１に記載の情報復元装置。
【請求項５】
前記データ記憶装置が、ハードディスク、メモリカード、もしくはＣＤＲＷドライブであるを特徴とする請求項１に記載の情報復元装置。
【請求項６】
前記回路装置が、ＣＰＵ、コネクタポート、メモリ、コネクタインターフェース、制御回路、データ記憶装置を含み、前記機能キーと電気的接続を行い、コネクタポートにより、外部ホストコンピューターに接続し、該機能キーの操作により、該制御回路の作動をコントロールし、ＣＰＵ、メモリおよび制御回路のコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元することに供することを特徴とする情報復元装置。
【請求項７】
ケース、急速バックアップキー、完全バックアップキー、復元キーなど機能キーから構成される復元装置がホストコンピューターに接続する準備ステップと、ホストコンピューターが作業状態に入る起動ステップと、システムが一般作業を行うホストコンピューターのＯＳ作業ステップと、復元装置のアプリケーションプログラムをインストールし実行するかを確認する確認ステップと、実行した場合、復元装置を起動させるアプリケーションプログラムを格納するＣＤ−ＲＯＭを搭載する搭載ステップと、前記ＣＤ−ＲＯＭを自動インストールし、全部のハードディスクのデータを圧縮するとともに、初期システムにおける復元データファイルを復元装置に保存する保存ステップと、終了ステップと、復元装置を起動させるアプリケーションプログラムを格納したホストコンピューターならば、機能キーを押すか、を判断するステップと、どちらの機能キーでも押さなかった場合、作業を終了し前記ＯＳ作業ステップか終了ステップに戻すステップと、急速バックアップキーを押すか、を判断するステップと、急速バックアップキーを押した場合、前回バックアップした内容との差、もしくは一回目バックアップした内容と初期システムにおける復元データファイルの内容との差分情報を検査し、復元装置に保存し、急速バックアップキーを押さなかった場合、前記ＯＳ作業ステップに戻すステップと、完全バックアップキーを押すか、を判断するステップと、完全バックアップキーを押した場合、所有と初期システムにおける復元データとの差分情報を検査し、復元装置に保存し、元の完全バックアップファイルを取り代わって、前記急速バックアップファイルを削除し、前記ＯＳ作業ステップに戻すステップと、完全バックアップキーを押さなかった場合、復元キーを押すか、を判断するステップと、復元キーを押した場合、画面上に各復元ポイントを呈示し、ユーザーは選択し、復元キーを押さなかった場合、前記ＯＳ作業ステップに戻すステップと、ユーザーの選択した復元ポイントは初期システム復元データか、を判断するステップと、システム復元ポイントを選択した場合、インストールを実行した際、復元システムに保存された初期システム復元データファイルをホストコンピューターシステムに復元し完成すると、前記ＯＳ作業ステップに戻すステップと、システム復元ポイントを選択しなかった場合、ユーザーの選択した復元ポイントは第一復元ポイントか、を判断するステップと、第一復元ポイントを選択した場合、完全バックアップを実行した際、復元システムに保存された差分情報および初期システム復元データファイルをホストコンピューターシステムに復元し完成すると、前記ＯＳ作業ステップに戻すステップと、第一復元ポイントを選択しなかった場合、ユーザーの選択した復元ポイントは第二復元ポイントか、を判断するステップと、第二復元ポイントを選択した場合、選択した復元ポイントの時刻で、急速バックアップを実行した際、復元システムに保存された差分情報および初期システム復元データファイルをホストコンピューターシステムに復元し完成すると、前記ＯＳ作業ステップに戻すステップと、第二復元ポイントを選択しなかった場合、ユーザーの選択した復元ポイントは第三復元ポイントか、を判断するステップと、第三復元ポイントを選択した場合、選択した復元ポイントの時刻で、急速バックアップを実行した際、復元システムに保存された差分情報および初期システム復元データファイルをホストコンピューターシステムに復元し完成すると、前記ＯＳ作業ステップに戻すステップと、第三復元ポイントを選択しなかった場合、前記ＯＳ作業ステップに戻すステップと、を含むことを特徴とする情報復元方法。
【発明の詳細な説明】
【０００１】
【発明の属する技術分野】
この発明はデータのバックアップおよびデータの復元などの機能を具える装置と、該装置により、ホストコンピューターを復元することを含む情報復元装置および情報復元方法に関する。
【０００２】
【従来の技術】
過去、ハードディスク装置を主にホストコンピューター内部に設けられ、パソコンのハードウェアに熟知しないユーザー（たとえば、初心者、一般ユーザー、専業主婦、児童、老人など）にとって、ハードディクスは故障する場合、必ず１台のホストコンピューターを修理センターに持ち込まなければならない。パソコンの誤作動、もしくはフリーズの原因は以下のように、
１．操作は適当でない。
２．コンピュータ・ウィルスに侵害される。
３．ソフトウエアの設計は適当でない。
４．予想できない原因（たとえば：突然停電する）。
５．非ハードウェアの要素（アプリケーションプログラムのバッグ、ウィルス、あるいは人為的なミスなど）、貴重な資料を救うことができない状況をもたらす。
また、ホストコンピューターは大型、重いので、運ぶことは不便であり、そこでユーザーは非常に面倒であることを悩ませることをもたらす。
【０００３】
【発明が解決しようとする課題】
この発明は、復元装置を外部ホストコンピューターに接続し、ホストコンピューターのハードディクスのデータをバックアップし、該復元装置に保存し、ハードディスクは故障する際、該復元装置に保存されるデータを外部ホストコンピューターに復元することを含む情報復元装置および情報復元方法を提供することを課題とする。
【０００４】
また、この発明簡単な構造で、容易に操作し、急速にコンピューターシステムデータを復元することを含む情報復元装置および情報復元方法を課題とする。
【０００５】
また、この発明は人間性のある選択画面を搭載し、ユーザーは容易に選択することを含む情報復元装置および情報復元方法を提供することを課題とする。
【０００６】
【課題を解決するための手段】
そこで、本発明者は、従来の技術に見られる欠点に鑑みて鋭意研究を重ねた結果、ケースと、複数の機能キーと、回路装置によって復元装置を構成し、該回路装置はＣＰＵ、コネクタポート、メモリ、コネクタインターフェース、制御回路、データ記憶装置を含み、該回路装置は前記機能キーと電気的接続を行い、コネクタポートにより、外部ホストコンピューターに接続し、該機能キーの操作により、該制御回路の作動をコントロールし、ＣＰＵとコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元することを含むこと情報復元装置および情報復元方法によって課題を解決できる点に着眼し、かかる知見に基づいて本発明を完成させた。
【０００７】
以下、この発明について具体的に説明する。
請求項１に記載する情報復元装置は、ケースと、
前記ケースの上に設ける複数の機能キーと、
前記機能キーと電気的接続を行い、ＣＰＵ、コネクタポート、メモリ、コネクタインターフェース、制御回路、データ記憶装置を含み、該ケース内に設ける回路装置と、
コネクタポートにより、外部ホストコンピューターに接続し、該機能キーの操作により、該制御回路の作動をコントロールし、ＣＰＵとコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元することと、を含む。
【０００８】
請求項２に記載する情報復元装置は、請求項１における機能キーが、急速バックアップキー、完全バックアップキー、復元キーを含む。
【０００９】
請求項３に記載する情報復元装置は、請求項１におけるＣＰＵと接続するコネクタポートが、ＵＳＢインターフェース、１３４９シリアルインターフェース、もしくはＡＴＡ／ＡＴＡＰＩシリアルインターフェースである。
【００１０】
請求項４に記載する情報復元装置は、請求項１におけるデータ記憶装置が、ＡＴＡ／ＡＴＡＰＩシリアルインターフェースを含む。
【００１１】
請求項５に記載する情報復元装置は、請求項１におけるデータ記憶装置が、ハードディスク、メモリカード、もしくはＣＤＲＷドライブである。
【００１２】
請求項６に記載する情報復元装置は、請求項１における回路装置が、ＣＰＵ、コネクタポート、メモリ、コネクタインターフェース、制御回路、データ記憶装置を含み、前記機能キーと電気的接続を行い、コネクタポートにより、外部ホストコンピューターに接続し、該機能キーの操作により、該制御回路の作動をコントロールし、ＣＰＵ、メモリおよび制御回路のコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元することを含む。
【００１３】
請求項７に記載する情報復元方法は、ケース、急速バックアップキー、完全バックアップキー、復元キーなど機能キーから構成される復元装置がホストコンピューターに接続する準備ステップと、ホストコンピューターが作業状態に入る起動ステップと、システムが一般作業を行うホストコンピューターのＯＳ作業ステップと、復元装置のアプリケーションプログラムをインストールし実行するかを確認する確認ステップと、実行した場合、復元装置を起動させるアプリケーションプログラムを格納するＣＤ−ＲＯＭを搭載する搭載ステップと、前記ＣＤ−ＲＯＭを自動インストールし、全部のハードディスクのデータを圧縮するとともに、初期システム復元データファイルを復元装置に保存する保存ステップと、終了ステップと、復元装置を起動させるアプリケーションプログラムを格納したホストコンピューターならば、機能キーを押すか、を判断するステップと、どちらの機能キーでも押さなかった場合、作業を終了し前記ＯＳ作業ステップか終了ステップに戻すステップと、急速バックアップキーを押すか、を判断するステップと、急速バックアップキーを押した場合、前回バックアップした内容との差、もしくは一回目バックアップした内容と初期システム復元データファイル内容との差分情報を検査し、復元装置に保存し、急速バックアップキーを押さなかった場合、前記ＯＳ作業ステップに戻すステップと、完全バックアップキーを押すか、を判断するステップと、完全バックアップキーを押した場合、所有と初期システム復元データとの差分情報を検査し、復元装置に保存し、元の完全バックアップファイルを取り代わって、前記急速バックアップファイルを削除し、前記ＯＳ作業ステップに戻すステップと、完全バックアップキーを押さなかった場合、復元キーを押すか、を判断するステップと、復元キーを押した場合、画面上に各復元ポイントを呈示し、ユーザーは選択し、復元キーを押さなかった場合、前記ＯＳ作業ステップに戻すステップと、ユーザーの選択した復元ポイントは初期システム復元データか、を判断するステップと、システム復元ポイントを選択した場合、インストールを実行した際、復元システムに保存された初期システム復元データファイルをホストコンピューターシステムに復元し完成すると、前記ＯＳ作業ステップに戻すステップと、システム復元ポイントを選択しなかった場合、ユーザーの選択した復元ポイントは第一復元ポイントか、を判断するステップと、第一復元ポイントを選択した場合、完全バックアップを実行した際、復元システムに保存された差分情報および初期システム復元データファイルをホストコンピューターシステムに復元し完成すると、前記ＯＳ作業ステップに戻すステップと、第一復元ポイントを選択しなかった場合、ユーザーの選択した復元ポイントは第二復元ポイントか、を判断するステップと、第二復元ポイントを選択した場合、選択した復元ポイントの時刻で、急速バックアップを実行した際、復元システムに保存された差分情報および初期システム復元データファイルをホストコンピューターシステムに復元し完成すると、前記ＯＳ作業ステップに戻すステップと、第二復元ポイントを選択しなかった場合、ユーザーの選択した復元ポイントは第三復元ポイントか、を判断するステップと、第三復元ポイントを選択した場合、選択した復元ポイントの時刻で、急速バックアップを実行した際、復元システムに保存された差分情報および初期システム復元データファイルをホストコンピューターシステムに復元し完成すると、前記ＯＳ作業ステップに戻すステップと、第三復元ポイントを選択しなかった場合、前記ＯＳ作業ステップに戻すステップと、を含む。
【００１４】
【発明の実施の形態】
この発明は、情報復元装置および情報復元方法において、ケースと、複数の機能キーと、回路装置によって復元装置を構成し、該回路装置はＣＰＵ、コネクタポート、メモリ、コネクタインターフェース、制御回路、データ記憶装置を含み、該回路装置は前記機能キーと電気的接続を行い、コネクタポートにより、外部ホストコンピューターに接続し、該機能キーの操作により、該制御回路の作動をコントロールし、ＣＰＵとコネクタポートを経由し、ホストコンピューターに対応するアプリケーションプログラムを起動させ、ホストコンピューターのデータをデータ記憶装置に保存するか、もしくはデータ記憶装置に保存されるデータを外部ホストコンピューターに復元することに供する。
かかる  情報復元装置および情報復元方法について、具体的な実施例を挙げ、その特徴を以下に詳述する。
【００１５】
【実施例】
図１、２に開示するように、この発明による復元装置（１０）は、ケース（１１）と、
該ケース（１１）の上に設ける急速バックアップキー（１２）と、完全バックアップキー（１３）と、復元キー（１４）とを含んでなり、該急速バックアップキー（１２）と、完全バックアップキー（１３）と、復元キー（１４）と、電源ランプ（１５）と、データアクセスランプ（１６）と、コネクタ（１７）と、ＤＣ電源入力プラグ（１８）とを同一のケース上に設置する。
【００１６】
回路装置（１９）は、該ケース（１１）内に設けられ、ＣＰＵ（１９３）と、メモリ（１９４）と、コネクタインターフェース（１９５）と、制御回路（１９２）と、データ記憶装置（１９７）とを含んでなり、該回路装置（１９）が、前記機能キー（１２）（１３）（１４）と電気的接続を行い、該ＣＰＵ（１９３）は、電源（１９１）と、コネクタポート（１９６）と接続し、該コネクタポート（１９６）がコネクタ（１７）を具え、該コネクタ（１７）をケース（１１）に設置し、コネクタポート（１９６）に対応し、接続を供するコネクタである。該コネクタポート（１９６）が、汎用のＵＳＢインターフェース、１３４９シリアルインターフェース、もしくはＡＴＡ／ＡＴＡＰＩシリアルインターフェースである。また、該データ記憶装置（１９７）が、ハードディスク、メモリカード、もしくはＣＤＲＷドライブであり、ＡＴＡ／ＡＴＡＰＩシリアルインターフェースを具える記憶装置である。該コネクタインターフェース（１９５）が汎用のＡＴＡ／ＡＴＡＰＩシリアルインターフェースであり、該ＡＴＡ／ＡＴＡＰＩシリアルインターフェースが、汎用のハードディスクおよびＣＤＲＷドライブのインターフェースであり、パソコンと周辺機器間と接続するインターフェースの規格である。
【００１７】
コネクタポート（１９６）により、ホストコンピューター（３０）に接続し、該機能キー（１２）（１３）（１４）の操作により、該制御回路（１９２）の作動をコントロールし、ＣＰＵ（１９３）と、コネクタポート（１９６）とを経由し、ホストコンピューターに対応するアプリケーションプログラムを起動させ、ホストコンピューターのデータをデータ記憶装置（１９７）に保存するか、もしくはデータ記憶装置（１９７）に保存されるデータを外部ホストコンピューターに復元する。また、電源が入っている間、電源ランプが点灯する電源ランプ（１５）と、復元装置（１０）がホストコンピューター（３０）にアクセスしてデータを読み込んだり、書き込んだりするときに点灯するデータアクセスランプ（１６）とをケース（１１）上に設けられる。
【００１８】
図３に開示するように、ユーザーは容易に選択するため、人間性のある選択画面（２０）を搭載し、該選択画面（２０）が、システム復元ポイント（２１）と、第一復元ポイント（２２）と、第二復元ポイント（２３）と、第三復元ポイント（２４）と、終了（２５）とを含んでなり、復元装置（１０）がホストコンピューター（３０）に接続し、且つ、外部電源入力の場合、復元キー（１４）を押し、自動的に選択画面（２０）をスクリーンに呈示し、同時に復元ポイントを表し、ユーザーが急速に復元ポイントを選択し、もしくは終了することができる。
【００１９】
図１、４（ａ），４（ｂ）に開示するように、この発明による情報復元方法のステップにおいて、
ａ．ケース（１１）、急速バックアップキー（１２）、完全バックアップキー（１３）、復元キー（１４）など機能キーから構成される復元装置（１０）がホストコンピューター（３０）に接続する準備ステップと、
ｂ．ホストコンピューター（３０）が作業状態に入る起動ステップと、
ｃ．システムが一般作業を行うホストコンピューター（３０）のＯＳ作業ステップと、
ｄ．復元装置（１０）のアプリケーションプログラムをインストールし実行するかを確認する確認ステップと、
ｅ．実行した場合、復元装置（１０）を起動させるアプリケーションプログラムを格納するＣＤ−ＲＯＭを搭載する搭載ステップと、
ｆ．前記ＣＤ−ＲＯＭを自動インストールし、全部のハードディスクのデータを圧縮するとともに、初期システムにおける復元データファイルを復元装置（１０）に保存する保存ステップと、
ｇ．終了ステップと、
ｈ．復元装置（１０）を起動させるアプリケーションプログラムを格納したホストコンピューター（３０）ならば、機能キーを押すか、を判断するステップと、
ｉ．どちらの機能キーでも押さなかった場合、作業を終了し前期ｃかｇに戻すステップと、
ｊ．急速バックアップキー（１２）を押すか、を判断するステップと、
ｋ．急速バックアップキー（１２）を押した場合、前回バックアップした内容との差、もしくは一回目バックアップした内容と初期システム復元データファイル内容との差分情報を検査し、復元装置（１０）に保存し、急速バックアップキー（１２）を押さなかった場合、前記ｃに戻すステップと、
ｌ．完全バックアップキー（１３）を押すか、を判断するステップと、
ｍ．完全バックアップキー（１３）を押した場合、所有と初期システム復元データとの差分情報を検査し、復元装置に保存し、元の完全バックアップファイルを取り代わって、前記急速バックアップファイルを削除し、前記ｃに戻すステップと、
ｎ．完全バックアップキー（１３）を押さなかった場合、復元キー（１４）を押すか、を判断するステップと、
ｏ．復元キー（１４）を押した場合、画面（２０）上に各復元ポイントを呈示し、ユーザーは選択し、復元キー（１４）を押さなかった場合、前記ｃに戻すステップと、
ｐ．ユーザーの選択した復元ポイントは初期システム復元データか、を判断するステップと、
ｑ．システム復元ポイントを選択した場合、インストールを実行した際、復元装置に保存された初期システムにおける復元データファイルをホストコンピューターシステムに復元し完成すると、前記ｃに戻すステップと、
ｒ．システム復元ポイントを選択しなかった場合、ユーザーの選択した復元ポイントは第一復元ポイントか、を判断するステップと、
ｓ．第一復元ポイントを選択した場合、完全バックアップを実行した際、復元システムに保存された差分情報および初期システムにおける復元データファイルをホストコンピューターシステムに復元し完成すると、前記ｃに戻すステップと、
ｔ．第一復元ポイントを選択しなかった場合、ユーザーの選択した復元ポイントは第二復元ポイントか、を判断するステップと、
ｕ．第二復元ポイントを選択した場合、選択した復元ポイントの時刻で、急速バックアップを実行した際、復元システムに保存された差分情報および初期システムにおける復元データファイルをホストコンピューターシステムに復元し完成すると、前記ｃに戻すステップと、
ｖ．第二復元ポイントを選択しなかった場合、ユーザーの選択した復元ポイントは第三復元ポイントか、を判断するステップと、
ｗ．第三復元ポイントを選択した場合、選択した復元ポイントの時刻で、急速バックアップを実行した際、復元システムに保存された差分情報および初期システムにおける復元データファイルをホストコンピューターシステムに復元し完成すると、前記ｃに戻すステップと、
ｘ．第三復元ポイントを選択しなかった場合、前記ｃに戻すステップと、を含む。
【００２０】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【００２１】
【発明の効果】
以上、この発明による情報復元装置および情報復元方法は、復元装置（１０）を外部ホストコンピューターに接続し、ホストコンピューターのハードディクスのデータをバックアップし、該復元装置に保存し、ハードディスクは故障する際、該復元装置に保存されるデータを外部ホストコンピューターに復元する。また、構造は簡単で、容易に操作し、且つ、この発明により、パソコンの誤作動、もしくはフリーズの場合、ユーザーは１台のホストコンピューターを修理センターに持ち込むか、修理センターは自宅へ出張する必要がない。人的作業を軽減し、経済効果に得て、次に掲げる予想の効果と利益を有する。
１．ある都市の人口が１００万であると仮定し、平均の５人ごとには１台のパソコンを持ち、該パソコンごとに当装置を装着する。
２．平均の１台のパソコンは、年間のフリーズの回数が３回とする。
３．平均一回の修理維持費（運賃を含む）は台湾ドル２０００元である。
毎年、該都市の節約できるコストは、２０００＊３＊１００／５  ＝  １２００００（万元）である。
更に、以下を仮定すると、
１．当装置の復元動作は、１時間がかかるとする。
２．修理センターへ往復する運搬作業は、一回２時間がかかるとする。
３．パソコンを修理するのは、１日間（並んで時間を待つことを含む）を必要とする。
毎年、該都市の節約できる時間は、（２４＋２−１）＊３＊１００／５  ＝１５００  （時間）である。
破壊した資料を挽回できない部分は、この発明の価値は推測できない。
【図面の簡単な説明】
【図１】本発明の実施例一の外観構造説明図である。
【図２】本発明の制御動作を実行するための装置の概略ブロック図である。
【図３】本発明の画面上に選択情報を示している状態の説明図である。
【図４】（ａ）（ｂ）  本発明の制御動作を示すフローチャートである。
【符号の説明】
１０  復元装置
１１  ケース
１２  急速バックアップキー
１３  完全バックアップキー
１４  復元キー
１５  電源ランプ
１６  データアクセスランプ
１７  コネクタ
１８  ＤＣ電源入力プラグ
１９  回路装置
１９１  電源
１９２  制御回路
１９３  ＣＰＵ
１９４  メモリ
１９５  コネクタインターフェース
１９６  コネクタポート
１９７  データ記憶装置
２０  選択画面
２１  システム復元ポイント
２２  第一復元ポイント
２３  第二復元ポイント
２４  第三復元ポイント
２５  終了
３０  ホストコンピューター
【図１】
2005038007.tif 000003
【図２】
2005038007.tif 000004
【図３】
2005038007.tif 000005
【図４】
2005038007.tif 000006